(57)【特許請求の範囲】
【請求項１】
ステータ巻線(2)を有する輪状ステータ(3)を保持するカップ状のレゾルバケース(1)と、前記レゾルバケース(1)の軸心位置に形成されたテーパ孔(4A)と、前記テーパ孔(4A)を貫通して回転自在に設けられ前記輪状ステータ(3)に対応するロータ(7)を有する回転軸(6)と、前記回転軸(6)の外周に形成され前記テーパ孔(4A)と非接触状態で対応するテーパ状外周面(6A)と、前記レゾルバケース(1)に設けられた蓋体(8)と、よりなり、
前記テーパ孔(4A)と前記テーパ状外周面(6A)との間には、前記レゾルバケース(1)の内部から外部へ向けて末広がり状に形成された輪状テーパ状貫通孔(15)が形成されていることを特徴とする耐水型レゾルバユニット構造。
【請求項２】
前記レゾルバケース(1)と蓋体(8)の接続面(9)には、シール部材(10)が設けられていることを特徴とする請求項１記載の耐水型レゾルバユニット構造。
【請求項３】
前記蓋体(8)には、前記ステータ巻線(2)に接続されたリード線(11)を保持するケーブル保持体(12)が設けられていることを特徴とする請求項１又は２記載の耐水型レゾルバユニット構造。
【発明の詳細な説明】
【技術分野】
【０００１】
本発明は、耐水型レゾルバユニット構造に関し、特に、レゾルバケースと回転軸との間に形成した輪状テーパ状貫通孔を介して、レゾルバケース内の空気等を外部に出すことにより、耐水特性を向上させるための新規な改良に関する。
【背景技術】
【０００２】
従来、用いられていたこの種の耐水型レゾルバユニット構造としては、社内製作のみで特許出願を行っていないため、特許文献等を開示していないが、図５に示される構成を挙げることができる。
すなわち、図５において符号１で示されるものはカップ状をなすレゾルバケースであり、このレゾルバケース１内には、ステータ巻線２を有する輪状ステータ３が設けられている。
【０００３】
前記レゾルバケース１の開口４には、防水型の軸受５を介して回転軸６が回転自在に設けられ、この回転軸６の先端側に取付けられたロータ７は前記輪状ステータ３に対応して設けられている。
【０００４】
前記レゾルバケース１には、前記輪状ステータ３、ロータ７及び回転軸６を覆うように曲折状の筒型をなす蓋体８が、接続面９にＯリング等のシール部材１０を介して接続されている。
前記ステータ巻線２に接続されたリード線１１は、前記蓋体８の後端に設けられたケーブル保持体１２に接続され、ケーブル１２ａにより信号の送受が行われるように構成されている。
【０００５】
従って、前述の構成において、耐水型レゾルバユニット２０を、例えば、モータ等の回転機器に接続し、車輌等の水がかかるような悪環境下で使用した場合、耐水型レゾルバユニット２０の内部が密閉状に保たれているため、回転軸６の回転により、輪状ステータ３側からの回転検出信号を前記リード線１１及びケーブル１２ａを介して外部に取出すことができる。
【発明の開示】
【発明が解決しようとする課題】
【０００６】
従来の耐水型レゾルバユニット２０は、以上のように構成されていたため、次のような課題が存在していた。
すなわち、レゾルバを構成する輪状ステータとロータを覆うためのレゾルバケース、蓋体、回転軸及び軸受は、密閉構造を構成しているが、完全防水ではないため、外部から入り込んだ湿気が外部に逃げにくく、内部湿気によるステータ巻線の劣化が発生しやすく、耐久性及び信頼性の低下を防止することが困難であった。
【課題を解決するための手段】
【０００７】
本発明による耐水型レゾルバユニット構造は、ステータ巻線を有する輪状ステータを保持するカップ状のレゾルバケースと、前記レゾルバケースの軸心位置に形成されたテーパ孔と、前記テーパ孔を貫通して回転自在に設けられ前記輪状ステータに対応するロータを有する回転軸と、前記回転軸の外周に形成され前記テーパ孔と非接触状態で対応するテーパ状外周面と、前記レゾルバケースに設けられた蓋体と、よりなり、前記テーパ孔と前記テーパ状外周面との間には、前記レゾルバケースの内部から外部へ向けて末広がり状に形成された輪状テーパ状貫通孔が形成されている構成であり、また、前記レゾルバケースと蓋体の接続面には、防水シールが設けられている構成であり、また、前記蓋体には、前記ステータ巻線に接続されたリード線を保持するケーブル保持体が設けられている構成である。
【発明の効果】
【０００８】
本発明による耐水型レゾルバユニット構造は、以上のように構成されているため、次のような効果を得ることができる。
すなわち、ステータ巻線を有する輪状ステータを保持するカップ状のレゾルバケースと、前記レゾルバケースの軸心位置に形成されたテーパ孔と、前記テーパ孔を貫通して回転自在に設けられ前記輪状ステータに対応するロータを有する回転軸と、前記回転軸の外周に形成され前記テーパ孔と非接触状態で対応するテーパ状外周面と、前記レゾルバケースに設けられた蓋体と、よりなり、前記テーパ孔と前記テーパ状外周面との間には、前記レゾルバケースの内部から外部へ向けて末広がり状に形成された輪状テーパ状貫通孔が形成されている構成により、回転軸を介してロータが回転することにより、内部の空気が輪状テーパ状貫通孔を介して外部に吐出され、内部の湿気が外部に排出されると共に、外部からの水や湿気等の内部への浸入を防止することができる。
また、前記レゾルバケースと蓋体の接続面には、防水シールが設けられていることにより、外部からの水分等の浸入を防止できる。
また、前記蓋体には、前記ステータ巻線に接続されたリード線を保持するケーブル保持体が設けられていることにより、信号の送受を容易に行うことができる。
【発明を実施するための最良の形態】
【０００９】
本発明は、レゾルバケースと回転軸との間に形成した輪状テーパ状貫通孔を介して、レゾルバケース内の空気等を外部に出すことにより、耐水特性を向上させるようにした耐水型レゾルバユニット構造を提供することを目的とする。
【実施例】
【００１０】
以下、図面と共に本発明による耐水型レゾルバユニット構造の好適な実施の形態について説明する。
尚、従来例と同一又は同等部分については、同一符号を用いて説明する。
図１において符号１で示されるものはカップ状をなすレゾルバケースであり、このレゾルバケース１内には、ステータ巻線２を有する輪状ステータ３が設けられている。
【００１１】
前記レゾルバケース１の軸心位置に形成されたテーパ孔４Ａには、テーパ状外周面６Ａを有する回転軸６が回転自在に設けられ、この回転軸６の先端側に設けられたロータ７は前記輪状ステータ３に対応して設けられている。
【００１２】
前記ロータ７を有する回転軸６は、図１に示す耐水型レゾルバユニット２０の構成においては、軸受は設けられておらず、図示しないモータ等の回転機器に回転軸６が接続されていることにより、前記輪状ステータ３に対して同心状に前記ロータ７が回転自在となるように構成されている。
【００１３】
前記レゾルバケース１のテーパ孔４Ａと前記回転軸６のテーパ状外周面６Ａとの間には、図２に特に拡大して示されているように、輪状テーパ状貫通孔１５が形成されており、この輪状テーパ状貫通孔１５は前記レゾルバケース１の内部から外部へ向けて末広がり状となるように傾斜して形成されている。
【００１４】
前記レゾルバケース１には、前記輪状ステータ３、ロータ７及び回転軸６を覆うように曲折状の筒型をなす蓋体８が、接続面９にＯリング等のシール部材１０を介して接続されている。
前記ステータ巻線２に接続されたリード線１１は、前記蓋体８の後端に設けられたケーブル保持体１２に接続され、ケーブル１２ａにより信号の送受が行われるように構成されている。
【００１５】
従って、前述の構成において、前記耐水型レゾルバユニット２０を、例えば、モータ等の回転機器に接続し、車輌等の水がかかるような悪環境下で使用した場合、耐水型レゾルバユニット２０内の空気が前記ロータ７及び回転軸６によってかき回されて、内部２０Ａから輪状テーパ状貫通孔１５を経て外部２０Ｂへ矢印Ｂのように送り出され、内部２０Ａ内の湿気等を外部２０Ｂに送り出し、内部２０Ａに湿気が溜まることを防止できる。
【００１６】
また、車輌等で用いた場合、動作中は単に、空気が矢印Ｂの方向に送り出されているため、レゾルバケース１に輪状テーパ状貫通孔１５が形成されているにも拘わらず、外部２０Ｂから内部２０Ａへの水、塩水、ゴミ等の浸入を防止し、内部２０Ａ内は常に湿気が少ないクリーンな状態を保つことができる。
また、前記ステータ巻線２に対する信号の送り及び受けを行うことができる。
【図面の簡単な説明】
【００１７】
【図１】本発明による耐水型レゾルバユニット構造を示す断面図である。
【図２】図１の要部Ａの拡大断面図である。
【図３】図１の右側面図である。
【図４】図１の左側面図である。
【図５】従来構成を示す断面図である。
【符号の説明】
【００１８】
１    レゾルバケース
２    ステータ巻線
３    輪状ステータ
４Ａ    テーパ孔
６    回転軸
７    ロータ
８    蓋体
１０    シール部材（Ｏリング）
１１    リード線
１２    ケーブル保持体
１５    輪状テーパ状貫通孔
２０    耐水型レゾルバユニット
２０Ａ    内部
２０Ｂ    外部
【図１】
0005070471.tif 000002
【図２】
0005070471.tif 000003
【図３】
0005070471.tif 000004
【図４】
0005070471.tif 000005
【図５】
0005070471.tif 000006